(57)【要約】　　【課題】　　　中継機として利用する場合に、装置側で利用者を制限し、セキュリティを厳しくする中継機能付き通信装置を提供すること。　　【解決手段】　公用のメールアドレスとパスワード名を異にする中継用メールアドレスをメールアドレステーブル２３１に記憶し、受信した電子メールデータ中のメールアドレスを、メールアドレス照合部２１２で照合し、前記メールアドレスが中継用である場合に、受信した電子メールデータ中の依頼ノードのドメイン名とドメイン名テーブル２３２に記憶した中継を許可するドメイン名を、ドメイン名照合部２１４で照合し、一致する場合にのみ中継処理を実行する。また、端末に出力するヘッダ情報からメールアドレスのパスワード名を削除する。　【選択図】　　　図３
2004048775.tif 000002
【特許請求の範囲】
【請求項１】
　電子メールデータを受信する受信手段と、受信した電子メールデータをファクシミリデータにフォーマット変換する変換手段と、変換したファクシミリデータを送信する送信手段とを備える中継装置において、
　ドメイン名を記憶する記憶手段と、前記受信手段で受信した電子メールデータの中から中継依頼元のドメイン名を認識する認識手段と、前記認識したドメイン名と前記記憶されたドメイン名とが一致している場合は、前記変換手段によりフォーマット変換を行って、前記送信手段による送信処理を行い、不一致の場合は、エラー処理を行う制御手段とを備える中継装置。
【請求項２】
　前記認識手段は、電子メールの発信元アドレスに設定される電子メールアドレスのうちドメイン名部分を認識することを特徴とする請求項１記載の中継装置。
【請求項３】
　依頼ノードのドメイン名を含むログ情報を管理者に対して通知する通知手段とを備えることを特徴とする請求項１記載の中継装置。
【請求項４】
　電子メールデータを受信し、受信した電子メールデータの中から中継依頼元のドメイン名を認識し、認識したドメイン名と予め記憶されるドメイン名とが一致しているか否かを判断し、
　一致している場合は、受信した電子メールデータをファクシミリデータにフォーマット変換し、変換したファクシミリデータを送信し、
　一致していない場合は、エラー処理を行うことを特徴とする中継方法。
【請求項５】
　電子メールの発信元アドレスに設定される電子メールアドレスのうちドメイン名部分を認識することを特徴とする請求項４記載の中継方法。
【請求項６】
　ファクシミリデータの送信後、ログ情報を作成し、管理者に対してログ情報を通知することを特徴とする請求項４記載の中継方法。
【発明の詳細な説明】
【技術分野】
【０００１】
　本発明は、ネットワークファクシミリ装置等の中継装置および中継方法に関する。
【背景技術】
【０００２】
　近年、インターネットを代表とするネットワークにおいて、電子メールで受信したデータを、端末に転送する中継機能付き通信装置が実用化されている。
【０００３】
　以下、従来技術について図８を用いて説明する。図８は、従来の中継機能付き通信装置による中継処理の手順を示すフロー図である。
【０００４】
　中継機能付き通信装置は、ＬＡＮを経由して電子メールでデータが送信されてきた場合、まず、これを受信し（Ｓ８０１）、電子メールデータを一旦蓄積する（Ｓ８０２）。
【０００５】
　次に、電子メールデータの中からメールアドレスを認識し（Ｓ８０３）、このメールアドレスに宛先電話番号が含まれるか否かを判別する（Ｓ８０４）。
【０００６】
　宛先電話番号が含まれる場合は、中継依頼を受け付け、電子メールデータを宛先端末に送信可能なフォーマットに変換し（Ｓ８０５）、前記宛先端末へ送信する（Ｓ８０６）。また、宛先電話番号が含まれない場合は、通常の受信処理が行われる（Ｓ８０７）。
【０００７】
　以上の動作手順により、中継機能付き通信装置による中継処理は完了する。
【発明の開示】
【発明が解決しようとする課題】
【０００８】
　しかしながら、上述の従来技術では、中継機能付き通信装置を公用として一般の送受信で使う場合と、中継機として利用する場合とで、メールアドレスが同一であり、これは常に公開されているため、誰でも簡単に前記中継機能付き通信装置を中継機として利用できてしまう。しかも、他に利用を制限する適当な手段も講じられていないため、中継処理を行う権限の無い者に乱用される恐れがある。
【０００９】
　本発明は、以上のような実情に鑑みてなされたものであり、中継機として利用する場合に、装置側で利用者を制限し、セキュリティを厳しくする中継機能付き通信装置を提供することを目的とする。
【課題を解決するための手段】
【００１０】
　本発明は上記課題を解決するために以下のような手段を講じた。
　本発明は、電子メールデータを受信する受信手段と、受信した電子メールデータをファクシミリデータにフォーマット変換する変換手段と、変換したファクシミリデータを送信する送信手段とを備える中継装置において、ドメイン名を記憶する記憶手段と、前記受信手段で受信した電子メールデータの中から中継依頼元のドメイン名を認識する認識手段と、前記認識したドメイン名と前記記憶されたドメイン名とが一致している場合は、前記変換手段によりフォーマット変換を行って、前記送信手段による送信処理を行い、不一致の場合は、エラー処理を行う制御手段とを備える。
【発明の効果】
【００１１】
　以上説明したように本発明によれば、中継機として利用する場合に、装置側で利用者を制限し、セキュリティを厳しくする中継装置および中継方法を提供できる。
【発明を実施するための最良の形態】
【００１２】
　本発明の第１の態様の発明は、受信した電子メールデータからメールアドレスを認識する認識手段と、公用と中継用の２種類のメールアドレスを記憶する記憶手段と、認識した前記メールアドレスが中継用である場合にのみ中継処理を実行する制御手段とを具備する構成を採る。
【００１３】
　この構成により、中継用のメールアドレスを、中継処理として利用する権限を持つ者以外に非公開とすれば、公用のメールアドレスを従来通り公開しても、パスワード名が違うため、中継用のメールアドレスを推測することができず、中継処理として利用する権限の無い者に乱用される恐れがなくなる。
【００１４】
　本発明の第２の態様の発明は、第１の態様において、中継処理の際にメールアドレスからパスワード名を削除する編集手段を具備し、編集された前記メールアドレスを含むヘッダ情報をデータとともに宛先端末へ送信する構成を採る。
【００１５】
　この構成により、宛先の端末に送信データとともにヘッダ情報を出力しても、パスワード名は出力されないので、中継用のメールアドレスは非公開を維持することができる。同時に、宛先電話番号及びホスト名を従来通りヘッダ情報に付加されており、宛先の端末で必要な情報は得ることができる。
【００１６】
　本発明の第３の態様の発明は、第１の態様において、受信した電子メールデータから依頼ノードのドメイン名を認識する認識手段と、中継処理を許可するドメイン名を記憶する記憶手段とを具備し、前記依頼ノードのドメイン名が、前記中継処理を許可するドメイン名と一致する場合にのみ中継処理を実行する構成を採る。
【００１７】
　この構成により、中継処理を行う権限の無い者に、非公開となっている中継用メールアドレスが知られたとしても、この者は、中継機能付き通信装置を中継機として利用することができず、更に厳密に中継機能付き通信装置のセキュリティを守ることができる。
【００１８】
　本発明の第４の態様の発明は、第１−３の態様のいずれかにおいて、メールアドレスと発信元情報を含む中継処理のログ情報を、予め登録された管理者のメールアドレスに送信する構成を採る。
【００１９】
　この構成により、中継機能付き通信装置の管理者は、使用頻度等の当該装置の使用状況を把握するのに役に立ち、管理上の便宜性をあげることができる。また、当該装置の中継機としての利用を中継処理が行われる度に知ることができ、宛先及び発信元をチェックすることで、不正利用や異常な使われ方などを早期に発見し、迅速に対処することができ、更にセキュリティ能力が増す。
【００２０】
　本発明の第５の態様の発明は、第１−４の態様のいずれかにおいて、受信した電子メールデータをファクシミリ装置で受信可能なデータにフォーマット変換して、ファクシミリ送信手順に従って宛先端末に送信する構成を採る。
【００２１】
　この構成により、中継機能付き通信装置を中継機として、電子メールデータをファクシミリデータに変換し、電話回線を経由してファクシミリ装置に送信することができる。
【００２２】
　本発明の第６の態様の発明は、中継機能付き通信装置において、受信した電子メールデータの中からメールアドレスを認識し、前記メールアドレスが中継用である場合に、前記メールアドレスからパスワード名を削除する編集をし、編集した前記メールアドレスをヘッダ情報の一部として使用し、データとともに宛先端末に送信する制御方法を採る。
【００２３】
　この方法により、電子メールの送信者は、中継機を通して端末にデータを出力する場合に、中継用のメールアドレスを非公開にするために、特別な操作を必要とせず、通常と同様の操作手順で実行できる。
【００２４】
　以下、本発明の実施の形態を図面を参照して具体的に説明する。なお、本実施の形態では、中継機能付き通信装置のうちネットワークファクシミリ装置により、電子メールデータをフォーマット変換して、ファクシミリデータとして端末のファクシミリ装置に転送する場合を説明するが、中継機能を持つ他の通信装置についても同様の作用効果を及ぼす。
【００２５】
　図１は、ネットワークファクシミリ装置を中継機として、データ通信を行う際のネットワーク構成図である。図１において、他のネットワークファクシミリ装置１１またはパーソナルコンピュータ１２から電子メールで送られたデータは、ＬＡＮを経由し一度メールサーバ１３に蓄えられた後、中継機として利用されるネットワークファクシミリ装置１４へ送信される。ネットワークファクシミリ装置１４は、受信したデータをファクシミリデータにフォーマット変換し、電話回線網（ＰＳＴＮ）を介して、宛先の端末ファクシミリ装置１５へ転送する。
【００２６】
　次に、ネットワークファクシミリ装置の基本構成について図２を用いて説明する。図２は、本実施の形態におけるネットワークファクシミリ装置の基本構成を示すブロック図である。図２において、ネットワークファクシミリ装置は、データの認識や判別等の制御を行うＣＰＵ２１と、プログラムを格納するＲＯＭ２２と、メールアドレスやドメイン名等のデータを記憶するＲＡＭ２３と、データを電子メールで送受信する上で必要な手順を実行するＬＡＮインターフェイス部２４と、受信したデータを一旦蓄積するデータ蓄積部２５と、受信したデータのフォーマットを変換するフォーマット変換部２６と、ファクシミリ用に変換されたデータの送受信を行うファクシミリ部２７と、電話回線とＬＡＮとの間でデータを送受信する際に変調、復調処理を行うモデム２８と、電話回線の制御を行うネットワークコントロールユニット２９とを備えている。
【００２７】
　ＬＡＮから電子メールで送信されたデータは、ＬＡＮインターフェイス部２４に受信され、一旦データ蓄積部２５に蓄積される。そして、ＣＰＵ２１にて、このデータ内のメールアドレス、依頼ノードのドメイン名が認識され、ＲＡＭ２３内の各テーブルに登録されているものと照合される。このデータが、中継処理用と判別されれば、フォーマット変換部２６にて、ファクシミリデータに変換され、モデム２８にて変調され、ファクシミリ部２７から、ネットワークコントロールユニット２９によって繋がれたファクシミリ装置へ送信される。
【００２８】
　次に、ネットワークファクシミリ装置のＣＰＵ２１が行う中継処理制御について、図３を用いてより具体的に説明する。図３は、本実施の形態におけるネットワークファクシミリ装置の要部構成を示すブロック図である。
【００２９】
　メールアドレス認識部２１１では、ＬＡＮインターフェイス部２４を介してデータ蓄積部２５に蓄積された電子メールデータの中からメールアドレスを認識する。メールアドレス照合部２１２では、メールアドレス認識部２１１で認識したメールアドレスをＲＡＭ２３内のメールアドレステーブル２３１に登録された中継用メールアドレスと照合する。
【００３０】
　ドメイン名認識部２１３では、メールアドレス照合部２１２でメールアドレスが中継用であると照合された場合に、データ蓄積部２５に蓄積されたデータの中から依頼ノードのドメイン名を認識する。ドメイン名照合部２１４では、ドメイン名認識部２１３で認識した依頼ノードのドメイン名をＲＡＭ２３内のドメイン名テーブル２３２に登録された中継を許すドメイン名と照合し、一致すればフォーマット変換部２６、ヘッダ情報抽出部２１５及びログ情報抽出部２１６に中継許可信号を送信する。
【００３１】
　一方、ヘッダ情報抽出部２１５では、中継許可信号を受信すると、データ蓄積部２５に蓄積された電子メールデータの中から特定のヘッダ情報を抽出し、フォーマット変換部２６に送信する。本実施形態の場合、特定のヘッダ情報には、中継用メールアドレスの内、パスワード名を削除したものが含まれる。
【００３２】
　ログ情報抽出部２１６では、中継許可信号を受信すると、データ蓄積部２５に蓄積された電子メールデータからログ情報を抽出し、ＲＡＭ２３内の管理者メールアドレステーブル２３３に登録された管理者メールアドレス先にログ情報を送信する。本実施形態の場合、ログ情報には、中継用メールアドレス及び依頼ノードのドメイン名が含まれる。
【００３３】
　次に、メールアドレスの構成について図４及び図５を用いて説明する。図４は、本実施の形態におけるメールアドレステーブル２３１の構成図であり、図５は、本実施の形態におけるメールアドレスの構成図である。
【００３４】
　図４に示すように、メールアドレステーブル２３１には、公用と中継用の２種類のメールアドレスが登録され、受信した電子メールデータ内のメールアドレスが、登録された中継用メールアドレスと一致した場合に中継処理を実行する。
【００３５】
　また、図５（ａ）に示すように、公用メールアドレスは、先頭から＠（アットマーク）までの部分をパスワード名、＠以降の部分をホスト名として構成される。また、図５（ｂ）に示すように、中継用メールアドレスは、先頭から＃（シャープ）までの部分をパスワード名、＃（シャープ）から＠（アットマーク）までの部分を宛先電話番号、＠以降の部分をホスト名として構成される。
【００３６】
　上記構成において、中継用メールアドレスのパスワード名を、公用メールアドレスのそれとは異なったものとし、中継用メールアドレスを非公開にすれば、公用メールアドレスを公開しても、中継機としての装置の乱用を防止できる。
【００３７】
　図６は、本実施の形態におけるドメイン名テーブル２３３の構成図である。図６に示すように、ＲＡＭ２０３内のドメイン名テーブルには、中継処理を許すドメイン名が登録され、受信したデータ内の依頼ノードのドメイン名と同一のものが、登録されたドメイン名の中にある場合に限り、中継処理を実行することが許される。この制御により、中継機として利用されるネットワークファクシミリ装置のセキュリティを守ることができる。
【００３８】
　次に、ネットワーク通信の動作手順について、図７を用いて説明する。図７は、本実施の形態におけるネットワークファクシミリ装置を中継機として中継処理を実行する手順を示すフロー図である。
【００３９】
　なお、予めＲＡＭ２３内の各テーブルに、公用と中継用の２種類のメールアドレス、中継処理を許すドメイン名及び管理者のメールアドレスを登録しておく。
【００４０】
　まず、ネットワークファクシミリ装置１４は、ＬＡＮを経由してデータが電子メールで送信されてきた場合、まず、ＬＡＮインターフェース部２８からこれを受信し（Ｓ７０１）、データ蓄積部２５で一旦蓄積する（Ｓ７０２）。
【００４１】
　次に、ＣＰＵ２１にて、電子メールデータの中からメールアドレスを認識し（Ｓ７０３）、そのパスワード名から、それが公用であるか、中継用であるかを判別し（Ｓ７０４）、メールアドレスが公用である場合は通常の受信処理を実行する（Ｓ７０５）。
【００４２】
　メールアドレスが中継用である場合は、ＣＰＵ２１にて、電子メールデータの中から依頼ノードのドメイン名を認識し（Ｓ７０６）、それと同一のものが登録されたドメイン名の中に存在するか否かを判別する（Ｓ７０７）。そして、存在しない場合は中継処理は許されずエラーとなる（Ｓ７０８）。
【００４３】
　これにより、本来中継処理を行うことを許されていない者に、中継用メールアドレスを知られてしまった場合でも、ネットワークファクシミリ装置が中継機として勝手に利用されることを防ぐことができる。また、前記ネットワークファクシミリ装置側の都合により、利用できるドメイン数、またはドメイン名などを制限したい場合には、前記テーブルに登録されるドメイン名を変更するだけで容易に調整することができ、前記ネットワークファクシミリ装置の管理においても役立つ。
【００４４】
　依頼ノードのドメイン名と同一のものが登録されたドメイン名の中に存在する場合、次に、電子メールデータの中からメールアドレスからパスワード名を削除する編集をし（Ｓ７０９）、編集後のメールアドレスを含むヘッダ情報を作成する（Ｓ７１０）。
【００４５】
　次に、ヘッダ情報を含むデータをフォーマット変換部２６にて、ファクシミリデータにフォーマット変換し（Ｓ７１１）、モデム２８にて変調し、ファクシミリ部２７から、ネットワークコントロールユニット２９によって繋がれた端末ファクシミリ装置に、電話回線網（ＰＳＴＮ）を経由して送信し、中継処理が完了する（Ｓ７１２）。
【００４６】
　ヘッダ情報が送信先の端末ファクシミリ装置から出力される場合でも、中継用メールアドレスのパスワード名は表示されないため、中継用メールアドレスの機密は保たれ、非公開を維持することが可能となる。
【００４７】
　ヘッダ情報の作成と同時に、メールアドレス、依頼ノードのドメイン名等から成るログ情報を作成し（Ｓ７１３）、管理者のメールアドレス先に、前記ログ情報を電子メール送信する（Ｓ７１４）。
【００４８】
　これにより、ネットワークファクシミリ装置の管理者は、使用頻度の調査など状況を把握するために役に立ち、管理上の便宜性をあげることができる。また、装置の中継機としての利用を中継処理が行われる度に知ることができ、発信元及び宛先をチェックすることで、不正利用や異常な使われ方などをいち早く発見し、迅速に対処することができ、更にセキュリティ能力が増す。
【００４９】
　また、電子メールにより逐次通知されるため、題名（Ｓｕｂｊｅｃｔ）を利用し、発信元メールアドレス、および宛先電話番号等を記述することで、メールを開けなくても一目瞭然に中継処理状況を得ることができる。
【図面の簡単な説明】
【００５０】
【図１】本発明の一実施の形態に係るネットワークファクシミリ装置を中継機としてデータ通信を行う際のネットワ−ク構成図
【図２】上記実施の形態におけるネットワークファクシミリ装置の基本構成を示すブロック図
【図３】上記実施の形態におけるネットワークファクシミリ装置の要部を示すブロック図
【図４】上記実施の形態におけるメールアドレステーブルを示す構成図
【図５】上記実施の形態におけるメールアドレスを示す構成図
【図６】上記実施の形態におけるドメイン名テーブルを示す構成図
【図７】上記実施の形態における中継処理を行う手順を示すフロー図
【図８】従来の中継処理を行う手順を示すフロー図
【符号の説明】
【００５１】
　１１　ネットワークファクシミリ装置
　１２　パーソナルコンピュータ
　１３　メールサーバ
　１４　中継機用ネットワークファクシミリ装置
　１５　端末ファクシミリ装置
　２１　ＣＰＵ
　２２　ＲＯＭ
　２３　ＲＡＭ
　２４　ＬＡＮインターフェイス部
　２５　データ蓄積部
　２６　フォーマット変換部
　２７　ファクシミリ部
　２８　モデム
　２９　ネットワークコントロールユニット
【図１】
2004048775.tif 000003
【図２】
2004048775.tif 000004
【図３】
2004048775.tif 000005
【図４】
2004048775.tif 000006
【図５】
2004048775.tif 000007
【図６】
2004048775.tif 000008
【図７】
2004048775.tif 000009
【図８】
2004048775.tif 000010